(57)【要約】【課題】本発明は、少なくとも１つの、好ましくは複数の被印刷体ウェブを印刷するための少なくとも１つの印刷ユニット（１３）を備えたウェブ印刷機に関する。【解決手段】本発明によると、ウェブ印刷機はウェブ案内装置（１８）を有しており、該ウェブ案内装置によって１つまたは複数の被印刷体ウェブ（Ａ、Ｂ、Ｃ）を搬送可能であり、前記ウェブ案内装置（１８）による１つまたは複数の被印刷体ウェブ（Ａ、Ｂ、Ｃ）のウェブ案内に依存して、前記ウェブ案内装置の領域に位置決めされた少なくとも１つの加工装置によって少なくとも１つの被印刷体ウェブ（Ａ、Ｂ、Ｃ）を上面および／または下面で加工可能であるようになっている。【選択図】図１
2008273203.tif 000002
【特許請求の範囲】
【請求項１】
少なくとも１つの、好ましくは複数の被印刷体ウェブを印刷するための少なくとも１つの印刷ユニットを備えたウェブ印刷機において、
ウェブ案内装置（１８）を有しており、
該ウェブ案内装置によって１つまたは複数の被印刷体ウェブ（Ａ、Ｂ、Ｃ）を搬送可能であり、
前記ウェブ案内装置（１８）による１つまたは複数の被印刷体ウェブ（Ａ、Ｂ、Ｃ）のウェブ案内に依存して、前記ウェブ案内装置の領域に位置決めされた少なくとも１つの加工装置（１９、２０）によって少なくとも１つの被印刷体ウェブ（Ａ、Ｂ、Ｃ）をその上面および／またはその下面で加工可能であるようになっていることを特徴とするウェブ印刷機。
【請求項２】
前記印刷ユニット（１３）はオフセット印刷ユニットとして構成されており、相上下して位置決めされた複数の印刷ユニットからなる、新聞印刷機の少なくとも１つの印刷塔（１０、１１、１２）を形成していることを特徴とする、請求項１に記載のウェブ印刷機。
【請求項３】
前記印刷ユニットはオフセット印刷ユニットとして構成されており、相並んで位置決めされた複数の印刷ユニットからなる、ヒートセット型商業印刷機の少なくとも１つの印刷区間を形成していることを特徴とする、請求項１に記載のウェブ印刷機。
【請求項４】
前記ウェブ案内装置（１８）の領域に位置決めされた１つまたは複数の前記加工装置（１９、２０）は印刷装置として構成されており、好ましくはインクジェット印刷装置として構成されていることを特徴とする、請求項１から３のいずれか一項に記載のウェブ印刷機。
【請求項５】
前記ウェブ案内装置（１８）の領域に位置決めされた１つまたは複数の前記加工装置（１９、２０）は糊付け装置として、または塗工装置として、または乾燥装置として、またはフィルム転写装置として、または断裁装置として、または目打ち装置として、または打抜き装置として構成されていることを特徴とする、請求項１から３のいずれか一項に記載のウェブ印刷機。
【請求項６】
前記ウェブ案内装置（１８）は複数のウェブガイドローラを含んでおり、
すなわち、１つまたは複数の被印刷体ウェブを前記ウェブ案内装置へ供給するための第１の複数のウェブガイドローラ（２２）と、１つまたは複数の被印刷体ウェブを前記ウェブ案内装置から導出するための第２の複数のウェブガイドローラ（２３）とを含んでいることを特徴とする、請求項１から５のいずれか一項に記載のウェブ印刷機。
【請求項７】
１つまたは複数の前記加工装置（１９、２０）は、１つまたは複数の前記加工装置によって第１の複数の前記ウェブガイドローラ（２２）と第２の複数の前記ウェブガイドローラ（２３）との間の搬送区間に沿って、少なくとも１つの被印刷体ウェブ（Ａ、Ｂ、Ｃ）を上面および／または下面で加工可能であるように、前記ウェブ案内装置（１８）の領域で位置決めされていることを特徴とする、請求項６に記載のウェブ印刷機。
【請求項８】
第１の複数の前記ウェブガイドローラ（２２）と第２の複数の前記ウェブガイドローラ（２３）との間の搬送区間に沿って位置決めされたウェブガイドローラ（２５）が、前記加工装置（１９、２０）により加工されるべき１つまたは複数の被印刷体ウェブ（Ａ、Ｂ、Ｃ）を、１つまたは複数の前記加工装置の領域で案内して安定化させることを特徴とする、請求項７に記載のウェブ印刷機。
【請求項９】
１つまたは複数の前記加工装置（１９、２０）はそれぞれトラバース（２１）の上に支承されるとともに、１つまたは複数の被印刷体ウェブ（Ａ、Ｂ、Ｃ）の搬送方向に対して横向きにそれぞれの前記トラバースに沿って変位可能であることを特徴とする、請求項１から８のいずれか一項に記載のウェブ印刷機。
【請求項１０】
１つまたは複数の前記トラバース（２１）は高さに関して垂直方向へ変位可能であることを特徴とする、請求項９に記載のウェブ印刷機。
【請求項１１】
１つまたは複数の前記加工装置（１９、２０）は、保守整備目的またはセットアップ目的のために１つまたは複数の被印刷体ウェブ（Ａ、Ｂ、Ｃ）の横に並ぶように変位可能であることを特徴とする、請求項９または１０に記載のウェブ印刷機。
【請求項１２】
前記ウェブ案内装置（１８）は定置に製作されていることを特徴とする、請求項１から１１のいずれか一項に記載のウェブ印刷機。
【請求項１３】
前記ウェブ案内装置（１８）は１つまたは複数の被印刷体ウェブ（Ａ、Ｂ、Ｃ）の搬送方向で見て前記印刷ユニット（１３）の下流側かつ前記反転ユニット（１５）の上流側に配置されていることを特徴とする、請求項１から１２のいずれか一項に記載のウェブ印刷機。
【発明の詳細な説明】
【技術分野】
【０００１】
本発明は、請求項１の前提項に記載されているウェブ印刷機に関する。
【背景技術】
【０００２】
ウェブ印刷機は、少なくとも１つの被印刷体ウェブ、特に複数の被印刷体ウェブを両面で印刷するために、複数の印刷ユニットを備えている。このような印刷ユニットは特にオフセット印刷ユニットであり、これらのオフセット印刷ユニットを用いて、１つまたは複数の被印刷体ウェブを従来式にスタティックな印刷画像で、すなわちどの印刷製品についても同じ印刷画像で、印刷することができる。このような種類のオフセット印刷ユニットは、新聞印刷機として構成されたウェブ印刷機においては、印刷塔の形態で相上下して位置決めされている。ヒートセット型商業印刷機では、オフセット印刷ユニットは相並んで位置決めされている。
【０００３】
ウェブ印刷機においては、被印刷体ウェブを従来式にオフセット印刷によって印刷するだけでなく、被印刷体ウェブをさらに別の加工部へ供給するという要請が高まってきている。これはたとえば、特にインクジェット印刷装置による印刷製品の印刷工学的な差別化である。被印刷体ウェブのオフセット印刷に追加して考慮の対象となるさらに別の加工には、たとえば糊づけ、塗工、乾燥、あるいは打抜きなどがある。実務で知られているウェブ印刷機では、オフセット印刷ユニットを用いて印刷された被印刷体ウェブの加工に利用される加工装置は、被印刷体ウェブの搬送方向で見て折り装置の下流側に位置決めされており、すなわち、生産速度が遅くなっているところに位置決めされている。
【０００４】
このことは、オフセット印刷で印刷された被印刷体ウェブの加工ないし後処理が、オフセット印刷ユニットの生産速度には結びつけられないという利点が原則としてあるものの、折り装置の下流側ではすべての印刷ページが、ないしは印刷製品内部のすべての個所が、加工のためにアクセス可能ではなくなっているという点に１つの重要な欠点がある。
【０００５】
そこで実務では、ウェブ印刷機のオフセット印刷ユニットの下流側、かつ折り装置の上流側に、加工装置を位置決めすることがすでに知られている。しかしながら、オフセット印刷に加えてさらに別の加工をウェブ印刷機の内部でフレキシブルに被印刷体ウェブへ施すことを可能にする解決策は、これまで存在していない。
【発明の開示】
【発明が解決しようとする課題】
【０００６】
以上を前提とする本発明の課題は、新たな種類のウェブ印刷機を提供することである。この課題は請求項１に記載のウェブ印刷機によって解決される。本発明によると、ウェブ印刷機はウェブ案内装置を含んでおり、該ウェブ案内装置によって１つまたは複数の被印刷体ウェブは、ウェブ案内装置による１つまたは複数の被印刷体ウェブのウェブ案内に依存して、ウェブ案内装置の領域に位置決めされた少なくとも１つの加工装置によって少なくとも１つの被印刷体ウェブを上面および／または下面で加工可能であるように搬送可能である。
【課題を解決するための手段】
【０００７】
ここで提案される発明により、少なくとも１つの加工装置を用いて、印刷ユニットで従来式に印刷された被印刷体ウェブへフレキシブルに次の加工を施すという可能性が初めて創出され、すなわち、各々の被印刷体ウェブを各々の面の領域で、すなわち上面の領域でも下面の領域でも、加工装置の領域で加工することができるようになる。そのために、１つまたは複数の被印刷体ウェブを搬送可能であるウェブ案内装置が、１つまたは複数の加工装置と協働する。
【０００８】
１つまたは複数の加工装置はウェブ案内装置の領域に位置決めされており、ウェブ案内装置はウェブ印刷機の中心個所で、好ましくはオフセット印刷ユニットの下流側かつ反転ユニットの上流側で、ウェブ印刷機に組み込まれている。
【０００９】
ウェブ案内装置ならびに１つまたは複数の加工装置は、生産切換のときにウェブ印刷機の内部で再編成をしなくてよく、むしろ、これらは被印刷体ウェブの搬送方向で見てウェブ印刷機における同一の位置に保つことができる。従来式のオフセット印刷に追加される１つまたは複数の被印刷体ウェブの加工が、フルスピードの生産速度で可能である。
【００１０】
本発明の好ましい発展例は、従属請求項および以下の説明から明らかである。本発明の一実施例について、当該実施例に限定をすることなく、図面を参照しながら詳しく説明する。
【発明を実施するための最良の形態】
【００１１】
図１は、全部で３つの印刷塔１０、１１および１２を含むウェブ印刷機の模式図を示している。各々の印刷塔１０、１１および１２は、垂直方向に相上下して位置決めされたオフセット印刷用の２つの印刷ユニット１３を備えており、これらの印刷ユニットの各々は、４つの印刷機構を備えるＨ型印刷ユニットとして構成されている。印刷ユニット１３の領域で被印刷体ウェブを、すなわち図示した実施例では被印刷体ウェブＡ、ＢおよびＣを、両面で印刷可能である。印刷塔１０、１１および１２で印刷されるべき被印刷体ウェブＡ、ＢおよびＣは、巻取り紙交換機１４の領域で準備されており、印刷塔１０、１１および１２の下流側で反転ユニット１５を介して折り装置１６へ供給される。巻取り紙交換機１４、反転ユニット１５、および折り装置１６の詳細は本件の対象となる当業者には周知であり、詳しく説明する必要をみない。
【００１２】
印刷機１０は、定義された位置１７に、すなわち図１と図２では印刷塔１０の上側の印刷ユニット１３の上方に、ウェブ案内装置１８を含んでおり、このウェブ案内装置により、印刷ユニット１３で印刷されるすべての被印刷体ウェブＡ、ＢおよびＣを搬送可能である。図１、図２では、ウェブ案内装置１８は大幅に模式化した形態でのみ図示されている。図３と図４はこれを拡大詳細図として示しているが、被印刷体ウェブは示していない。図５から図１０は、ウェブ案内装置１８による、被印刷体ウェブＡ、ＢおよびＣのための可能なウェブ案内を一例として示している。
【００１３】
ウェブ案内装置１８を用いて各々の被印刷体ウェブＡ、ＢおよびＣを搬送可能であり、ウェブ案内装置１８による被印刷体ウェブＡ、ＢおよびＣのウェブ案内に依存して、ウェブ案内装置１８の領域に位置決めされた少なくとも１つの加工装置１９によって被印刷体ウェブＡ、ＢおよびＣのうち少なくとも１つをその上面および／または下面で加工可能であるようになっている。
【００１４】
図３から図１０では、ウェブ案内装置１８の領域に２つの加工装置１９、２０が位置決めされている。加工装置１９、２０の各々はトラバース２１に並進移動可能に支承されており、そのようにして、ウェブ案内装置１８による被印刷体ウェブＡ、ＢおよびＣの搬送方向に対して横向きに、加工が行われるべき各被印刷体ウェブの位置へそれぞれの加工装置１９、２０を動かすようになっている。
【００１５】
加工装置１９、２０は、そのつどの加工プロセスに適した高さで垂直方向に固定された状態で、トラバース２１に組み付けられているのが好ましい。これに加えてトラバース２１自体も、加工プロセスのために必要な場合には、高さに関して個別に垂直方向へ位置決め可能なように支承することができる。
【００１６】
加工装置１９、２０は同一の加工装置であってよく、あるいは異なる加工装置であってもよい。同一の加工装置１９、２０が準備されている場合には、一方の加工装置１９もしくは２０によって被印刷体ウェブのうちの少なくとも１つを加工し、それに対して他方の加工装置２０もしくは１９で保守整備作業ないしセットアップ作業を実施するための冗長性が創出される。保守作業ないしセットアップ作業を実施するために、加工装置が被印刷体ウェブＡ、ＢおよびＣの横に並ぶところへ変位するように、加工装置１９、２０を被印刷体ウェブＡ、ＢおよびＣの搬送方向に対して横向きに運ぶことができる。
【００１７】
加工装置１９および／または加工装置２０は、印刷装置として、好ましくはインクジェット印刷装置として、または糊付け装置として、または塗工装置として、または乾燥装置として、またはフィルム転写装置として、または断裁装置として、または目打ち装置として、または打抜き装置として、またはこれ以外のあらゆる任意の加工装置として構成されていてよい。
【００１８】
本発明によるウェブ印刷機のウェブ案内装置１８は複数のウェブガイドローラを備えており、すなわち、第１の複数の入力側のウェブガイドローラ２２と、第２の複数の出力側のウェブガイドローラ２３とを備えている。ウェブガイドローラ２２、２３は、定置の側壁２４ないし定置のフレーム部分で、それぞれ回転可能に支承されている。入力側のウェブガイドローラ２２を介して被印刷体ウェブＡ、ＢおよびＣをウェブ案内装置１８へ導入可能であり、それに対して、出力側のウェブガイドローラ２３を介して被印刷体ウェブＡ、ＢおよびＣをウェブ案内装置１８から導出可能である。
【００１９】
加工装置１９、２０はウェブ案内装置１８の領域に位置決めされており、すなわち、被印刷体ウェブＡ、ＢおよびＣの搬送方向で見て、入力側のウェブガイドローラ２２と出力側のウェブガイドローラ２３の間に位置決めされている。入力側のウェブガイドローラ２２と出力側のウェブガイドローラ２３の間の被印刷体ウェブＡ、ＢおよびＣの搬送区間に沿って、加工装置１９、２０の領域にさらに別のウェブガイドローラ２５が位置決めされており、このウェブガイドローラ２５は、加工装置１９ないし２０の領域で加工されるべき１つまたは複数の被印刷体ウェブＡないしＢないしＣを案内し、それによって安定化させる。
【００２０】
図５から図１０は、ウェブ案内装置１８による、すなわち加工装置１９、２０に沿った、被印刷体ウェブＡ、ＢおよびＣのための可能なウェブ案内を示している。
【００２１】
図５では、被印刷体ウェブＡ、ＢおよびＣは、被印刷体ウェブＡがその上面の領域で加工可能であるように案内される。図６では、被印刷体ウェブＡが反転された後でこれを下面の領域で加工可能であるようにウェブ案内が行われ、次いで、被印刷体ウェブＡは再びもとに戻るように反転され、その結果、被印刷体ウェブＡ、ＢおよびＣは、ウェブ案内装置１８に入ったときと同じ相対的な向きで、ウェブ案内装置１８から出ていくようになっている。
【００２２】
図７と図８では、被印刷体ウェブＡ、ＢおよびＣは被印刷体ウェブＢを加工装置１９、２０によって加工できるように案内され、すなわち、図７では上面の領域で、また図８では下面の領域で加工できるように案内される。図９と図１０は、被印刷体ウェブＣを加工するための被印刷体ウェブＡ、ＢおよびＣのウェブ案内を示しており、図９では被印刷体ウェブＣをその上面の領域で、また図１０ではその下面の領域で、加工装置１９、２０の領域において加工可能である。
【００２３】
ウェブ案内装置１８には図示しない引込装置が付属しているのが好ましく、この引込装置により、ウェブ案内装置１８を通る被印刷体ウェブの経路をいわゆる引込工程で任意に定義することができる。このような種類の引込装置は引込先端部を含んでおり、この引込先端部により、被印刷体ウェブがレールシステムに沿ってウェブ印刷機へと引き込まれる。このような種類の引込装置がなくても、被印刷体ウェブをウェブ案内装置へ引き込むことができ、すなわち手作業で引き込むことができる。
【００２４】
図５から図１０では、被印刷体ウェブＡ、ＢおよびＣはそれぞれ右下でウェブ案内装置１８へ導入されて、左上でこれから導出されており、被印刷体ウェブＡ、ＢないしＣを加工するための加工装置１９、２０は、被印刷体ウェブの上方に位置決めされている。この図面は純粋に一例としての性質のものであることを、ここで断っておく。
【００２５】
被印刷体ウェブＡ、ＢおよびＣは、これ以外の位置でウェブ案内装置へ導入し、ならびにこれから導出することもできる。さらに、少なくとも１つの加工装置１９もしくは２０は、加工されるべき被印刷体ウェブの下方に位置決めされていてもよい。さらに、図示した実施例とは異なり、被印刷体ウェブを加工装置の領域で水平方向にではなく、むしろ垂直方向に案内することが可能であり、その場合には、加工装置は被印刷体ウェブの横に並んで位置決めされる。
【００２６】
ただし、インクジェット印刷装置として構成された加工装置１９、２０を使用するときは、加工されるべき被印刷体ウェブＡ、ＢないしＣの上方に加工装置１９、２０が位置決めされる、図面に示した実施形態が好ましい。
【００２７】
図面に示しているウェブガイドローラの個数、ならびに図示している被印刷体ウェブの枚数は、純粋に一例としてのものである。さらに、各図面に示しているウェブ案内も純粋に一例としての性質のものである。
【００２８】
ウェブ案内装置１８ならびに加工装置１９、２０は、被印刷体ウェブの搬送方向で見て、ウェブ印刷機の固定された位置で位置決めされており、すなわち、印刷塔１０、１１および１２の下流側かつ反転ユニット１５の上流側に位置決めされている。ウェブ案内装置１８による被印刷体ウェブのウェブ案内の形式だけを通じて、すべての被印刷体ウェブにその上面の領域でも下面の領域でも加工装置１９ないし２０の領域で加工を施すという可能性が得られる。
【００２９】
本発明は、少なくとも１つの印刷ユニットを備えている新聞印刷機やヒートセット型商業印刷機で適用可能である。
【図面の簡単な説明】
【００３０】
【図１】ウェブ印刷機を模式的に示す側面図である。
【図２】図１のウェブ印刷機を模式的に示す側面図であり、すなわち図１の部分ＩＩを示す図である。
【図３】図２の部分を拡大して詳細に示す側面図である。
【図４】図３の部分を示す平面図である。
【図５】被印刷体ウェブの可能な第１のウェブ案内が行われている図３の部分を示す側面図である。
【図６】被印刷体ウェブの可能な第２のウェブ案内が行われている図３の部分を示す側面図である。
【図７】被印刷体ウェブの可能な第３のウェブ案内が行われている図３の部分を示す側面図である。
【図８】被印刷体ウェブの可能な第４のウェブ案内が行われている図３の部分を示す側面図である。
【図９】被印刷体ウェブの可能な第５のウェブ案内が行われている図３の部分を示す側面図である。
【図１０】被印刷体ウェブの可能なさらに別のウェブ案内が行われている図３の部分を示す側面図である。
【符号の説明】
【００３１】
１０  印刷塔
１１  印刷塔
１２  印刷塔
１３  印刷ユニット
１４  巻取り紙交換機
１５  反転ユニット
１６  折り装置
１７  位置
１８  ウェブ案内装置
１９  加工装置
２０  加工装置
２１  トラバース
２２  ウェブガイドローラ
２３  ウェブガイドローラ
２４  側壁
２５  ウェブガイドローラ
【図１】
2008273203.tif 000003
【図２】
2008273203.tif 000004
【図３】
2008273203.tif 000005
【図４】
2008273203.tif 000006
【図５】
2008273203.tif 000007
【図６】
2008273203.tif 000008
【図７】
2008273203.tif 000009
【図８】
2008273203.tif 000010
【図９】
2008273203.tif 000011
【図１０】
2008273203.tif 000012